(57)【要約】【課題】電力消費量を増大させることなく、タグとリーダの通信距離を延ばすことを可能とする。【解決手段】信号送信用のリーダ１０−１は、電力供給用のリーダ１０−２に対して、タグ２に電力を供給するための給電用電波を送信することを指示する送信信号Ｔ１０を送信する。リーダ１０−２は、リーダ１０−１から送信信号Ｔ１０を受信すると、即時に給電用電波Ｔ１１をタグ２に送信する。タグ２は、リーダ１０−２からの給電用電波Ｔ１１を受信すると、この電波により給電を行って自身を駆動する。一方、信号送信用のリーダ１０−１は、送信信号Ｔ１２をタグ２に送信する。タグ２は、リーダ１０−１からの送信信号Ｔ１２を受信すると、自身に記録されている識別コードなどの情報を送信信号Ｔ１３としてリーダ１０−１に返信する。【選択図】図１
2010213172.tif 000002
【特許請求の範囲】
【請求項１】
信号送信用のリーダが電力供給用のリーダからの給電用電波により駆動するパッシブ型のタグとの間で無線通信を行う無線通信方法であって、
前記信号送信用のリーダから前記電力供給用のリーダに給電指示信号を送信するステップと、
前記信号送信用のリーダから前記給電指示信号を受信した前記電力供給用のリーダが前記パッシブ型のタグに対して給電用電波を送出するステップと、
前記電力供給用のリーダからの前記給電用電波により駆動した前記パッシブ型のタグとの間で通信するステップと
を含むことを特徴とする無線通信方法。
【請求項２】
前記信号送信用のリーダは、前記電力供給用のリーダに対して、前記給電指示信号を無線で送信することを特徴とする請求項１記載の無線通信方法。
【請求項３】
前記信号送信用のリーダは、前記電力供給用のリーダに対して、ネットワークを介して、前記給電指示信号を送信することを特徴とする請求項１記載の無線通信方法。
【請求項４】
信号送信用のリーダが電力供給用のリーダからの給電用電波により駆動するパッシブ型のタグとの間で無線通信を行うシステムであって、
前記信号送信用のリーダは、
前記電力供給用のリーダに給電指示信号を送信する給電指示信号送信手段と、
前記パッシブ型のタグから送信される送信信号を受信する受信手段と
を備え、
前記電力供給用のリーダは、
前記信号送信用のリーダから前記給電指示信号を受信する給電指示信号受信手段と、
前記パッシブ型のタグに対して給電用電波を送出する給電用電波送信手段と
を備えることを特徴とするシステム。
【請求項５】
前記給電指示信号送信手段は、
前記電力供給用のリーダに対して、前記給電指示信号を無線で送信し、
前記給電指示信号受信手段は、
前記信号送信用のリーダからの前記給電指示信号を無線で受信する、
ことを特徴とする請求項４記載のシステム。
【請求項６】
前記給電指示信号送信手段は、
前記電力供給用のリーダに対して、ネットワークを介して、前記給電指示信号を送信し、
前記給電指示信号受信手段は、
前記信号送信用のリーダからの前記給電指示信号を、前記ネットワークを介して受信する、
ことを特徴とする請求項４記載のシステム。
【発明の詳細な説明】
【技術分野】
【０００１】
本発明は、無線通信方法、及びシステムに関する。
【背景技術】
【０００２】
従来より、物流や、サービスの効率化を目的とし、物体を識別するためのＲＦＩＤ（Radio Frequency IDentification）システムが知られている。該ＲＦＩＤシステムは、識別対象である物体に付帯され、自身の識別コードなどの情報が記録されたＩＣタグ（以下、単に、タグという）と、電波を用いて上記タグに記録された識別コードなどの情報を受信するリーダとから構成されている。該ＲＦＩＤシステムには、タグとして自身に電源を持つアクティブ型タグを用いるアクティブ型ＲＦＩＤシステムと、自身に電源を持たず、リーダから受信した電波により給電を行い、動作するパッシブ型タグを用いるパッシブ型ＲＦＩＤシステムとがある。
【０００３】
図７は、従来技術によるパッシブ型ＲＦＩＤシステムの一構成例を示すブロック図である。リーダ１からタグ２に対して情報を要求する送信信号Ｔ１が送信されると、リーダ１からの電波を受信したタグ２が、この電波により給電を行って自身を駆動し、自身に記録されている識別コードなどの情報を送信信号Ｔ２としてリーダ１に返信する。パッシブ型ＲＦＩＤシステムでは、タグ２がリーダから受信した電波により給電を行うため、リーダ１とタグ２との通信距離が短く、長いものでも数メートル程度である。
【０００４】
したがって、タグ２を駆動するためには、それなりの強度の電波が必要であるため、リーダ１から受信した電波が弱く、タグ２を駆動することができない場合には、例え、リーダ１から電波を受信していても通信を行うことはできない。このため、パッシブ型ＲＦＩＤシステムの通信距離は、アクティブ型ＲＦＩＤシステムに比べ一般的に短い。
【０００５】
これに対し、リーダを信号送信用と電力供給用に分け、リーダからの電波がタグを駆動するために必要な強度に達していない場合でも、電力供給用リーダからの電波でタグを駆動することにより通信を可能とし、通信距離を延ばす方法が提案されている（例えば、特許文献１参照）。
【０００６】
図８は、従来技術によるパッシブ型ＲＦＩＤシステムにおいて通信距離を向上させるための一構成例を示すブロック図である。該パッシブ型ＲＦＩＤシステムでは、信号送信用のリーダ１−１と電力供給用のリーダ１−２とに分ける。そして、まず、信号送信用のリーダ１−２から給電用電波Ｔ３がタグ２に送出されると、電力供給用のリーダ１−２からの電波を受信したタグ２が、この電波により給電を行って自身を駆動する。次いで、信号送信用のリーダ１−１からタグ２に対して情報を要求する送信信号Ｔ４が送信されると、信号送信用のリーダ１−１からの電波を受信したタグ２が、自身に記録されている識別コードなどの情報を送信信号Ｔ５として信号送信用のリーダ１−１に返信する。
【０００７】
このように、信号送信用のリーダ１−１からの電波がタグ２を駆動するために必要な強度に達していない場合でも、電力供給用のリーダ１−２からの電波でタグ２を駆動することにより通信が可能となり、通信距離を延ばすことが可能となる。
【先行技術文献】
【特許文献】
【０００８】
【特許文献１】特開２００６−２５４６７９号公報
【発明の概要】
【発明が解決しようとする課題】
【０００９】
ところで、上述した従来方法では、タグ２を駆動するための電力供給用のリーダ１−２の電波の送出タイミングの制御方法については何ら言及されていない。このため、電力供給用のリーダ１−１の電波送出タイミングを制御せず、常に電波を送出し続ける方法が考えられる。しかしながら、電力供給用のリーダ１−１から常に電波を送出し続ける方法では、電力消費量が増大してしまうという問題がある。
【００１０】
本発明は、このような事情を考慮してなされたものであり、その目的は、電力消費量を増大させることなく、タグとリーダの通信距離を延ばすことができる無線通信方法、及びシステムを提供することにある。
【課題を解決するための手段】
【００１１】
上述した課題を解決するために、本発明は、信号送信用のリーダが電力供給用のリーダからの給電用電波により駆動するパッシブ型のタグとの間で無線通信を行う無線通信方法であって、前記信号送信用のリーダから前記電力供給用のリーダに給電指示信号を送信するステップと、前記信号送信用のリーダから前記給電指示信号を受信した前記電力供給用のリーダが前記パッシブ型のタグに対して給電用電波を送出するステップと、前記電力供給用のリーダからの前記給電用電波により駆動した前記パッシブ型のタグとの間で通信するステップとを含むことを特徴とする無線通信方法である。
【００１２】
本発明は、上記の発明において、前記信号送信用のリーダは、前記電力供給用のリーダに対して、前記給電指示信号を無線で送信することを特徴とする。
【００１３】
本発明は、上記の発明において、前記信号送信用のリーダは、前記電力供給用のリーダに対して、ネットワークを介して、前記給電指示信号を送信する。
【００１４】
また、上述した課題を解決するために、本発明は、信号送信用のリーダがパッシブ型のタグとの間で無線通信を行うシステムであって、前記パッシブ型のタグの近傍に電力供給用のリーダを設置し、前記信号送信用のリーダは、前記電力供給用のリーダに給電指示信号を送信する給電指示信号送信手段と、前記パッシブ型のタグから送信される送信信号を受信する受信手段とを備え、前記電力供給用のリーダは、前記信号送信用のリーダから前記給電指示信号を受信する給電指示信号受信手段と、前記パッシブ型のタグに対して給電用電波を送出する給電用電波送信手段とを備えることを特徴とするシステムである。
【００１５】
本発明は、上記の発明において、前記給電指示信号送信手段は、前記電力供給用のリーダに対して、前記給電指示信号を無線で送信し、前記給電指示信号受信手段は、前記信号送信用のリーダからの前記給電指示信号を無線で受信する、ことを特徴とする。
【００１６】
本発明は、上記の発明において、前記給電指示信号送信手段は、前記電力供給用のリーダに対して、ネットワークを介して、前記給電指示信号を送信し、前記給電指示信号受信手段は、前記信号送信用のリーダからの前記給電指示信号を、前記ネットワークを介して受信する、ことを特徴とする。
【発明の効果】
【００１７】
この発明によれば、パッシブ型のＲＦＩＤシステムにおいて信号送信用のリーダと電力供給用のリーダを用い、信号送信用のリーダからの信号を電力供給用のリーダが受信した際に電力供給用のリーダからタグに対し電波を送出する、または別ネットワークにより電力供給用のリーダに電波の送出を指示することにより、タグの駆動を可能とする。これにより、タグが受信した信号送信用のリーダからの電波が微弱でタグの駆動ができない場合でも、消費電力を増大させることなく、タグとリーダの通信距離を向上させることができるという利点が得られる。
【図面の簡単な説明】
【００１８】
【図１】本発明の第１実施形態によるパッシブ型のＲＦＩＤシステムの構成を示すブロック図である。
【図２】本第１実施形態によるパッシブ型のＲＦＩＤシステムの各部の構成を示すブロック図である。
【図３】本第１実施形態によるパッシブ型のＲＦＩＤシステムの動作を説明するためのシーケンス図である。
【図４】本発明の第２実施形態によるパッシブ型のＲＦＩＤシステムの構成を示すブロック図である。
【図５】本第２実施形態によるパッシブ型のＲＦＩＤシステムの各部の構成を示すブロック図である。
【図６】本第２実施形態によるパッシブ型のＲＦＩＤシステムの動作を説明するためのシーケンス図である。
【図７】従来技術によるパッシブ型ＲＦＩＤシステムの一構成例を示すブロック図である。
【図８】従来技術によるパッシブ型ＲＦＩＤシステムにおいて通信距離を向上させるための一構成例を示すブロック図である。
【発明を実施するための形態】
【００１９】
以下、本発明の一実施形態を、図面を参照して説明する。
【００２０】
Ａ．第１実施形態
図１は、本発明の第１実施形態によるパッシブ型のＲＦＩＤシステムの構成を示すブロック図である。なお、図８または図９に対応する部分には同一の符号を付けて説明を省略する。図において、リーダ１０−１は、信号送信用のリーダであり、リーダ１０−２は、電力供給用のリーダである。信号送信用のリーダ１０−１及び電力供給用のリーダ１０−２は、自身に駆動用の電源を備えるか、外部から電源が供給される。
【００２１】
信号送信用のリーダ１０−１は、電力供給用のリーダ１０−２に対して、タグ２に給電するための給電用電波Ｔ１１を送信することを指示するための送信信号Ｔ１０を送信するとともに、タグ２に対して識別コードなどの情報を要求するために送信信号Ｔ１２をタグ２に送信する。また、該信号送信用のリーダ１０−１は、送信信号Ｔ１２に応じてタグ２から送信される識別コードなどの情報を含む送信信号Ｔ１３を受信する。
【００２２】
電力供給用のリーダ１０−２は、信号送信用のリーダ１０−１から送信信号Ｔ１０を受信すると、即時に給電用の送信信号Ｔ１１をタグ２に送信する。該電力供給用のリーダ１０−２は、仮に、信号送信用のリーダ１０−１との通信距離が大きく、送信信号Ｔ１０が微弱であったとしても、上述したように、自身に駆動用の電源を備えるか、外部から電源が供給されているので、該送信信号Ｔ１０を増幅して確実に受信することが可能である。
【００２３】
タグ２は、電力供給用のリーダ１０−２から給電用電波Ｔ１１を受信すると、この電波により給電を行って自身を駆動するとともに、信号送信用のリーダ１０−１から送信信号Ｔ１２を受信すると、自身に記録されている識別コードなどの情報を送信信号Ｔ１３として信号送信用のリーダ１０−１に返信する。なお、タグ２は、信号送信用のリーダ１０−１からの送信信号Ｔ１２を受信した時点では、既に、電力供給用のリーダ１０−２からの給電用電波Ｔ１１で駆動し、内部処理を完了しているので、信号送信用のリーダ１０−１に対して送信信号Ｔ１３を返信することが可能である。
【００２４】
次に、図２は、本第１実施形態によるパッシブ型のＲＦＩＤシステムの各部の構成を示すブロック図である。信号送信用のリーダ１０−１は、信号送信部１０−１−１、データ処理部１０−１−２、受信部１０−１−３から構成されている。信号送信部１０−１−１は、データ処理部１０−１−２の制御に従って、電力供給用のリーダ１０−２に対してタグ２への給電を指示する送信信号Ｔ１０を送信するとともに、タグ２に対して情報を要求する送信信号Ｔ１２を送信する。受信部１０−１−３は、タグ２からの送信信号Ｔ１３を受信し、データ処理部１０−１−２に供給する。データ処理部１０−１−２は、信号送信部１０−１−１からの送信信号Ｔ１０、Ｔ１２の送信タイミングを制御するとともに、信号受信部１０−１−３で受信したタグ２からの識別コードなどの情報を含む送信信号Ｔ１３に対する信号処理を行う。
【００２５】
電力供給用のリーダ１０−２は、受信部１０−２−１、データ処理部１０−２−２、電力供給用電波送信部１０−２−３から構成されている。受信部１０−２−１は、信号送信用のリーダ１０−１からタグ２への給電を指示する送信信号Ｔ１０を受信し、データ処理部１０−２−２に供給する。データ処理部１０−２−２は、信号受信部１０−２−１で信号送信用のリーダ１０−１からの送信信号Ｔ１０が受信されると、即時に電力供給用電波送信部１０−２−３を起動し、タグ２に給電用電波Ｔ１１を送信させるべく制御する。電力供給用電波送信部１０−２−３は、データ処理部１０−２−２の制御に従って、タグ２に給電するための給電用電波Ｔ１１を送信する。
【００２６】
タグ２は、受信部２−１、データ処理部２−２、信号送信部２−３から構成されている。受信部２−１は、電力供給用のリーダ１０−２からの給電用電波Ｔ１１を受信すると、受信した電波により給電を行ってデータ処理部２−２、信号送信部２−３を駆動するとともに、信号送信用のリーダ１０−１からの送信信号Ｔ１２を受信し、データ処理部２−２に供給する。データ処理部２−２は、受信部２−１で送信信号Ｔ１２が受信されると、自身に記録されている識別コードなどの情報を信号送信部２−３に供給する。信号送信部２−３は、識別コードなどの情報を送信信号Ｔ１３として信号送信用のリーダ１０−１に返信する。
【００２７】
次に、本第１実施形態の動作について説明する。
図３は、本第１実施形態によるパッシブ型のＲＦＩＤシステムの動作を説明するためのシーケンス図である。まず、信号送信用のリーダ１０−１は、信号送信部１０−１−１により、電力供給用のリーダ１０−２に対してタグ２への給電を指示する送信信号Ｔ１０を送信する（Ｓ１）。電力供給用のリーダ１０−２は、受信部１０−２−１により、信号送信用のリーダ１０−１から送信信号Ｔ１０を受信すると、即時に電力供給用電波送信部１０−２−３により給電用電波Ｔ１１をタグ２に送信する（Ｓ２）。
【００２８】
タグ２は、受信部２−１により、電力供給用のリーダ１０−２から給電用電波Ｔ１１を受信すると、受信した電波により給電を行ってデータ処理部２−２、信号送信部２−３を駆動し、データ処理部２−２により、自身に記録されている識別コードなどの情報に対する内部処理を行う。
【００２９】
一方、信号送信用のリーダ１０−１は、信号送信部１０−１−１により、タグ２に対して情報を要求する送信信号Ｔ１２を送信する（Ｓ３）。このとき、信号送信用のリーダ１０−１からの送信信号Ｔ１２の電波が微弱であっても、タグ２は、既に駆動しているため、該送信信号Ｔ１２を受信することができる。タグ２は、既に、電力供給用のリーダ１０−２からの給電用の送信信号Ｔ１１を受信して駆動し、内部処理を完了しているので、リーダ１０−１からの送信信号Ｔ１２を受信すると、信号送信用のリーダ１０−１に対して送信信号Ｔ１３を返信する（Ｓ４）。
【００３０】
上述した第１実施形態によれば、信号送信用のリーダ１０−１からの送信信号Ｔ１０を電力供給用のリーダ１０−２が受信した際に、電力供給用のリーダ１０−２からタグ２に対して給電用電波Ｔ１１を送出することで、タグ２を駆動しておき、タグ２における信号送信用のリーダ１０−１からの送信信号Ｔ１２の受信、及び信号送信用のリーダ１０−１への送信信号Ｔ１３の送信を可能な状態とするようにしたので、信号送信用のリーダ１０−１からの送信信号Ｔ１２の電波が微弱であっても、タグ２を駆動することができ、該タグ２との間で通信することができる。また、タグ２は、常時、電波を送出し続ける必要がないので、電力消費量を抑えることができる。このため、パッシブ型ＲＦＩＤシステムにおいて、電力消費量を増大させることなく、信号送信用のリーダ１０−１とタグ２との通信距離を延ばすことができる。
【００３１】
Ｂ．第２実施形態
図４は、本発明の第２実施形態によるパッシブ型のＲＦＩＤシステムの構成を示すブロック図である。なお、図１に対応する部分には同一の符号を付けて説明を省略する。図において、リーダ１１−１は、信号送信用のリーダであり、リーダ１１−２は、電力供給用のリーダである。信号送信用のリーダ１１−１及び電力供給用のリーダ１１−２は、自身に駆動用の電源を備えるか、外部から電源が供給される。信号送信用のリーダ１１−１と電力供給用のリーダ１１−２は、有線または無線で、ネットワーク１２を介して接続されており、信号送信用のリーダ１１−１と電力供給用のリーダ１１−２間で直接電波が届かない状況でも、ネットワーク１２を介して通信が可能となっている。なお、ネットワーク１２でなく、信号送信用のリーダ１１−１と電力供給用のリーダ１１−２とが単純に有線で互いに接続されていてもよい。
【００３２】
信号送信用のリーダ１１−１は、ネットワーク１２を介して、電力供給用のリーダ１１−２に対して、タグ２に給電するための給電用電波Ｔ１１を送信することを指示するための給電指示Ｃ１を送出するとともに、タグ２に対して識別コードなどの情報を要求するために送信信号Ｔ１２をタグ２に送信する。また、該信号送信用のリーダ１１−１は、送信信号Ｔ１２に応じてタグ２から送信される識別コードなどの情報を含む送信信号Ｔ１３を受信する。
【００３３】
電力供給用のリーダ１１−２は、ネットワーク１２を介して、信号送信用のリーダ１１−１から給電指示Ｃ１を受信すると、即時に給電用電波Ｔ１１をタグ２に送信する。該電力供給用のリーダ１１−２は、仮に、信号送信用のリーダ１１−１との間で直接電波が届かない状況でも、ネットワーク１２を介して通信するようになっているので、給電指示Ｃ１を確実に受信することが可能である。
【００３４】
タグ２は、電力供給用のリーダ１１−２から給電用電波Ｔ１１を受信すると、この電波により給電を行って自身を駆動するとともに、信号送信用のリーダ１１−１から送信信号Ｔ１２を受信すると、自身に記録されている識別コードなどの情報を送信信号Ｔ１３として信号送信用のリーダ１１−１に返信する。なお、タグ２は、信号送信用のリーダ１１−１からの送信信号Ｔ１２を受信した時点では、既に、電力供給用のリーダ１１−２からの給電電波Ｔ１１で駆動し、内部処理を完了しているので、信号送信用のリーダ１１−１に対して送信信号Ｔ１３を返信することが可能である。
【００３５】
次に、図５は、本第２実施形態によるパッシブ型のＲＦＩＤシステムの各部の構成を示すブロック図である。信号送信用のリーダ１１−１は、給電指示部１１−１−１、信号送信部１１−１−２、データ処理部１１−１−３、受信部１１−１−４から構成されている。給電指示部１１−１−１は、データ処理部１１−１−３からの制御に従って、ネットワーク１２を介して、電力供給用のリーダ１１−２に対して、タグ２への給電を指示するための給電指示Ｃ１を送出する。信号送信部１１−１−２は、データ処理部１１−１−３からの制御に従って、タグ２に対して情報を要求する送信信号Ｔ１２を送信する。受信部１１−１−４は、タグ２からの送信信号Ｔ１３を受信し、データ処理部１１−１−３に供給する。データ処理部１１−１−３は、給電指示部１１−１−１からの給電指示Ｃ１、及び信号送信部１１−１−２からの送信信号Ｔ１２の送信タイミングを制御するとともに、受信部１１−１−４で受信したタグ２からの識別コードなどの情報を含む送信信号Ｔ１３の信号処理を行う。
【００３６】
電力供給用のリーダ１１−２は、受信部１１−２−１、データ処理部１１−２−２、電力供給用電波送信部１１−２−３から構成されている。受信部１１−２−１は、ネットワークを介して、信号送信用のリーダ１１−１からの給電指示Ｃ１を受信し、データ処理部１１−２−２に供給する。データ処理部１１−２−２は、信号受信部１１−２−１で信号送信用のリーダ１１−１からの給電指示Ｃ１が受信されると、即時に電力供給用電波送信部１１−２−３を起動し、タグ２に給電用電波Ｔ１１を送信させるべく制御する。電力供給用電波送信部１１−２−３は、データ処理部１１−２−２の制御に従って、タグ２に給電するための給電用電波Ｔ１１を送信する。
【００３７】
タグ２は、受信部２−１、データ処理部２−２、信号送信部２−３から構成されている。受信部２−１は、電力供給用のリーダ１１−２からの給電用電波Ｔ１１を受信すると、受信した電波により給電を行ってデータ処理部２−２、信号送信部２−３を駆動するとともに、信号送信用のリーダ１１−１からの送信信号Ｔ１２を受信し、データ処理部２−２に供給する。データ処理部２−２は、受信部２−１で送信信号Ｔ１２が受信されると、自身に記録されている識別コードなどの情報を信号送信部２−３に供給する。信号送信部２−３は、識別コードなどの情報を送信信号Ｔ１３として信号送信用のリーダ１１−１に返信する。
【００３８】
次に、本第２実施形態の動作について説明する。
図６は、本第２実施形態によるパッシブ型のＲＦＩＤシステムの動作を説明するためのシーケンス図である。まず、信号送信用のリーダ１１−１は、給電指示部１１−１−１により、ネットワーク１２を介して、電力供給用のリーダ１１−２に対して給電指示Ｃ１を送出する（Ｓ１０、Ｓ１１）。電力供給用のリーダ１１−２は、受信部１１−２−１により、ネットワーク１２を介して、信号送信用のリーダ１１−１からの給電指示Ｃ１を受信すると、即時に電力供給用電波送信部１１−２−３により給電用電波Ｔ１１をタグ２に送信する（Ｓ１２）。
【００３９】
タグ２は、受信部２−１により、電力供給用のリーダ１１−２から給電用電波Ｔ１１を受信すると、受信した電波により給電を行ってデータ処理部２−２、信号送信部２−３を駆動し、データ処理部２−２により、自身に記録されている識別コードなどの情報に対する内部処理を行う。
【００４０】
一方、信号送信用のリーダ１１−１は、信号送信部１１−１−２により、タグ２に対して送信信号Ｔ１２を送信する（Ｓ１３）。このとき、信号送信用のリーダ１１−１からの送信信号Ｔ１２の電波が微弱であっても、タグ２は、既に駆動しているため、該送信信号Ｔ１２を受信することができる。タグ２は、既に、リーダ１０−２からの給電用の送信信号Ｔ１１を受信して駆動し、内部処理を完了しているので、信号送信用のリーダ１１−１からの送信信号Ｔ１２を受信すると、信号送信用のリーダ１１−１に対して送信信号Ｔ１３を返信する（Ｓ１４）。
【００４１】
なお、信号送信用のリーダ１１−１から電力供給用のリーダ１１−２への給電指示Ｃ１を送出するタイミングと、信号送信用のリーダ１１−１からタグ２へ送信信号Ｔ１２を送信するタイミングとの前後は問わない。つまり、上述したように、リーダ１１−１から電力供給用のリーダ１１−２への給電指示Ｃ１を送出した後、信号送信用のリーダ１１−１からタグ２へ送信信号Ｔ１２を送信するようにしてもよいし、あるいは、信号送信用のリーダ１１−１からタグ２へ送信信号Ｔ１２を送信した後、信号送信用のリーダ１１−１から電力供給用のリーダ１１−２への給電指示Ｃ１を送出するようにしてもよい。但し、ネットワーク１２を介する際の遅延が大きい場合には、信号送信用のリーダ１１−１からタグ２に送信信号Ｔ１２を送信する前に、リーダ１１−１から電力供給用のリーダ１１−２への給電指示Ｃ１を送出する必要がある。
【００４２】
上述した第２実施形態によれば、ネットワーク１２を介して、信号送信用のリーダ１１−１から電力供給用のリーダ１１-２へ給電指示Ｃ１を送出し、電力供給用のリーダ１１−２からタグ２に対して電力供給用の給電用電波Ｔ１１を送出することで、タグ２の駆動しておき、タグ２における信号送信用のリーダ１１−１からの送信信号Ｔ１２の受信、及び信号送信用のリーダ１１−１への送信信号Ｔ１３の送信を可能な状態とするようにしたので、信号送信用のリーダ１１−１からの送信信号Ｔ１２の電波が微弱であっても、タグ２が既に駆動しているため、タグ２との間で通信することができる。また、タグ２は、常時、電波を送出し続ける必要がないので、電力消費量を抑えることができる。また、信号送信用のリーダ１１−１と電力供給用のリーダ１１−２間で直接電波が届かない状況でも、ネットワーク１２を介して通信することができる。このため、パッシブ型ＲＦＩＤシステムにおいて、電力消費量を増大させることなく、信号送信用のリーダ１１−１とタグ２との通信距離の延ばすことができる。
【符号の説明】
【００４３】
１０−１、１１−１  信号送信用のリーダ
１１−１−１  給電指示部
１０−１−１、１１−１−２  信号送信部
１０−１−２、１１−１−３  データ処理部
１０−１−３、１１−１−４  受信部
１０−２、１１−２  電力供給用のリーダ
１０−２−１、１１−２−１  受信部
１０−２−２、１１−２−２  データ処理部
１０−２−３、１１−２−３  電力供給用電波送信部
２  タグ
２−１  受信部
２−２  データ処理部
２−３  信号送信部
１２  ネットワーク
【図１】
2010213172.tif 000003
【図２】
2010213172.tif 000004
【図３】
2010213172.tif 000005
【図４】
2010213172.tif 000006
【図５】
2010213172.tif 000007
【図６】
2010213172.tif 000008
【図７】
2010213172.tif 000009
【図８】
2010213172.tif 000010